(57)【要約】【課題】コンテンツデータをソース機器から読み込んで、コンテンツデータを複数のユーザに対して同時に提供することができるコンテンツデータの再生システムを提供することを目的とする。【解決手段】再生可能なコンテンツを表示する表示部と装着された記録媒体からコンテンツデータを読み出す記録媒体読出し部と放送電波をアンテナを介して受信しコンテンツデータに変換するチューナとを備える車載装置と、車載装置に外部接続されコンテンツデータを読み込む読み込み装置と、第１の音声出力手段と、第２の音声出力手段とを備える再生システム。記録媒体からのコンテンツデータ、チューナからのコンテンツデータまたは読み込み装置からのコンテンツデータを必要に応じて変換し、第１の音声出力手段及び第２の音声出力手段から同時に音声として再生する。【選択図】図１
2007157323.tif 000002
【特許請求の範囲】
【請求項１】
コンテンツデータの再生システムであって、
再生可能なコンテンツを表示する表示部と装着された記録媒体からコンテンツデータを読み出す記録媒体読出し部と放送電波をアンテナを介して受信しコンテンツデータに変換するチューナとを備える車載装置と、
前記車載装置に外部接続されコンテンツデータを読み込む読み込み装置と、
第１の音声出力手段と、第２の音声出力手段とを備え、
前記記録媒体からのコンテンツデータ、前記チューナからのコンテンツデータまたは前記読み込み装置からのコンテンツデータを必要に応じて変換し、前記第１の音声出力手段及び前記第２の音声出力手段から同時に音声として再生することを特徴とする再生システム。
【請求項２】
前記第１の音声出力手段は、スピーカであり、かつ、前記第２の音声出力手段は、当該スピーカとは別のスピーカまたはイヤホンであることを特徴とする請求項１記載の再生システム。
【請求項３】
前記別のスピーカまたはイヤホンは、前記車載装置と通信を行うことのできるポータブル再生装置が備えていることを特徴とする請求項２記載の再生システム。
【請求項４】
前記表示部は、ＣＤコンテンツ表示部、チューナコンテンツ表示部及び外部接続された読み込み装置コンテンツ表示部を備えることを特徴とする請求項１記載の再生システム。
【請求項５】
再生可能なコンテンツを表示する表示部と、
装着された記録媒体からコンテンツデータを読み出す記録媒体読出し部と、
放送電波を受信しコンテンツデータに変換するチューナと、
第１の音声出力手段と、第２の音声出力手段とを備え、
前記記録媒体読出し部からのコンテンツデータ、前記チューナからのコンテンツデータまたは外部に接続されたコンテンツデータ読み込み装置からのコンテンツデータを読み込み、これらのコンテンツデータを前記第１の音声出力手段及び前記第２の音声出力手段から同時に音声として再生することを特徴とする再生システム。
【請求項６】
外部との通信を行う通信手段をさらに備え、
前記第２の音声出力手段は、前記通信手段と通信可能なポータブル再生装置のスピーカまたはイヤホンであることを特徴とする請求項５記載の再生システム。
【請求項７】
前記通信手段は、再生可能なコンテンツデータのリストを前記ポータブル再生装置に送信し、当該リストを当該ポータブル再生装置の表示部に表示することを特徴とする請求項６記載の再生システム。
【請求項８】
外部との通信を行う通信手段をさらに備え、
前記表示部は、前記通信手段が通信により検出したポータブル再生装置を表示することを特徴とする請求項５記載の再生システム。
【発明の詳細な説明】
【技術分野】
【０００１】
本発明は、再生装置にて読み取られたコンテンツデータを無線通信にてポータブル機器に送信し、送信されたコンテンツデータを出力することのできる再生装置、ポータブル機器およびコンテンツデータの再生方法等に関する。
【背景技術】
【０００２】
自動車の車室内で音楽コンテンツデータを再生することのできる車載オーディオシステムが一般に知られている。車載オーディオシステムでは、記録媒体に記録された音楽コンテンツデータを１曲ずつ読み込んで、この音楽コンテンツデータを車室内に備えられたスピーカ等の出力装置より音声として出力する。一般に車載オーディオシステムに備えられているソース機器としては、ＣＤやＭＤ、カセットテープ等のプレイヤが挙げられる。これらＣＤ、ＭＤ、カセットテープ等の記録媒体は、それぞれ個別のソース機器にて再生される。また車載オーディオシステムには、チューナによって電波を受信して音声として出力する機能を備えているものもある。さらに、車載オーディオシステムにおけるソース機器として、大量のコンテンツデータを記録することのできるハードディスクドライブが搭載されたものもある（例えば、特許文献１参照。）。
【０００３】
また、自動車に搭載することのできるナビゲーション装置やビデオ再生装置には、表示画面が備えられている。このような、表示画面を備えたソース機器で画像コンテンツデータが記録された記録媒体を再生すれば、表示画面より画像コンテンツデータを出力することにより、車室内にて映像コンテンツを楽しむことができる。
またさらに、ポータブルＭＤプレイヤや、ポータブルＣＤプレイヤ、またはポータブルＤＶＤプレイヤ等を自動車の車室内に持ち込めば、自動車の車室内にてコンテンツデータの再生を楽しむことができる。これらのポータブル再生装置は、それぞれのソースからコンテンツデータの再生を独自に行うので、搭乗者が個別に、それぞれ異なるコンテンツを楽しむことができる。
【０００４】
【特許文献１】実開平６−２３３４２号公報
【発明の開示】
【発明が解決しようとする課題】
【０００５】
ところで、車載オーディオシステムにて再生することのできる複数のコンテンツを、複数の搭乗者が個別に見たい、または聴きたいといったような要求がある。そこで、車載オーディオシステムが、複数の搭乗者に対してそれぞれ異なるコンテンツデータの再生を提供することができれば便利であるが、従来の車載オーディオシステムにはそのような機能はなかった。
【０００６】
また、ポータブル再生装置を用いればコンテンツデータの再生を個別に楽しむことができるが、ポータブル再生装置では、当該ポータブル再生装置に備えられたソースのコンテンツデータしか再生することができない。
さらに、車載オーディオシステムに搭載されたハードディスクドライブに記録された大量のコンテンツデータの中から、複数の搭乗者がそれぞれ好きなものを個別に再生したいといったような要求があるが、従来の車載オーディオシステムにはそのような機能はなかった。
【０００７】
つまり、従来の車載システムでは、ソース機器から複数のコンテンツデータを読み込んで、あるいは複数のソース機器から複数のコンテンツデータを読み込んで再生すること、すなわちコンテンツデータのマルチ再生を行うことができなかった。
【０００８】
そこで、本発明は、複数のコンテンツデータをソース機器から同時に読み込んで、複数のユーザに対してこれらのコンテンツデータを個別かつ同時に提供することができるコンテンツデータの再生システムおよびコンテンツデータの再生方法を提供することを目的とする。
また、コンテンツデータを個別かつ同時に再生することのできる送信装置ならびにコンテンツデータ再生装置を提供することを他の目的とする。
【課題を解決するための手段】
【０００９】
上記の目的を達成する本発明は、次のように構成されたことを特徴とする再生システムを提供する。
コンテンツデータの再生システムであって、再生可能なコンテンツを表示する表示部と装着された記録媒体からコンテンツデータを読み出す記録媒体読出し部と放送電波をアンテナを介して受信しコンテンツデータに変換するチューナとを備える車載装置と、車載装置に外部接続されコンテンツデータを読み込む読み込み装置と、第１の音声出力手段と、第２の音声出力手段とを備え、記録媒体からのコンテンツデータ、チューナからのコンテンツデータまたは読み込み装置からのコンテンツデータを必要に応じて変換し、第１の音声出力手段及び第２の音声出力手段から同時に音声として再生する。
ここで、第１の音声出力手段は、スピーカであり、かつ、第２の音声出力手段は、このスピーカとは別のスピーカまたはイヤホンであることが好ましく、別のスピーカまたはイヤホンは、車載装置と通信を行うことのできるポータブル再生装置が備えていることが好ましい。
そして、表示部は、ＣＤコンテンツ表示部、チューナコンテンツ表示部及び外部接続された読み込み装置コンテンツ表示部を備えることが好ましい。
【００１０】
また、本発明は次のように構成されたことを特徴とする再生システムを提供する。
再生可能なコンテンツを表示する表示部と、装着された記録媒体からコンテンツデータを読み出す記録媒体読出し部と、放送電波を受信しコンテンツデータに変換するチューナと、第１の音声出力手段と、第２の音声出力手段とを備え、記録媒体読出し部からのコンテンツデータ、チューナからのコンテンツデータまたは外部に接続されたコンテンツデータ読み込み装置からのコンテンツデータを読み込み、これらのコンテンツデータを第１の音声出力手段及び第２の音声出力手段から同時に音声として再生する。
ここで、外部との通信を行う通信手段をさらに備え、第２の音声出力手段は、通信手段と通信可能なポータブル再生装置のスピーカまたはイヤホンであることが好ましく、通信手段は、再生可能なコンテンツデータのリストをポータブル再生装置に送信し、リストをポータブル再生装置の表示部に表示することが好ましい。
そして、表示部は、通信手段が通信により検出したポータブル再生装置を表示することが好ましい。
【発明の効果】
【００１１】
本発明によれば、複数のコンテンツデータをソース機器から読み込んで、これらのコンテンツデータを複数のユーザに対して個別かつ同時に提供することができるコンテンツデータの再生システムおよびコンテンツデータの再生方法を提供することができる。
【発明を実施するための最良の形態】
【００１２】
以下、添付図面に示す本実施の形態に基づいて本発明を詳細に説明する。
本実施の形態では、送信装置とコンテンツデータ再生装置とを用いてコンテンツデータを個別かつ同時に再生するシステムを例示して説明する。本実施の形態において例示するコンテンツデータの再生システムでは、車載オーディオシステムにて読み込まれた複数のコンテンツデータを携帯型のポータブル再生装置に送信し、この携帯型のポータブル再生装置にて受信されたコンテンツデータの再生を行う。
【００１３】
図１は、本実施の形態におけるコンテンツデータの再生システムの全体構成を示す図である。
本実施の形態の一例として図１に示すコンテンツデータの再生システムは、後に図３を用いて説明するコンテンツデータの送信装置として用いられる車載オーディオシステム１００と、後に図５を用いて説明するコンテンツデータ再生装置として用いられるポータブル再生装置２００とが備えられている。そして、この車載オーディオシステム１００とポータブル再生装置２００とは、コンテンツデータ等の送受信が可能な無線接続にてネットワーク接続されている。
【００１４】
後に図３を用いて詳しく説明するが、本実施の形態で例示する送信装置として用いられる車載オーディオシステム１００には、従来の車載オーディオシステムとして備えられた機器構成および機能の他に、コンテンツ再生装置として用いられるポータブル再生装置２００との間で無線通信を行うことのできる通信モジュール１５１およびアンテナ１５２と、これらを制御する制御プログラムが記録されたメモリ１１２が備えられている。また、後に図５を用いて詳しく説明するが、本実施の形態においてコンテンツ再生装置として用いられるポータブル再生装置２００には、車載オーディオシステム１００との間で無線通信を行うことのできる通信モジュール２５１およびアンテナ２５２と、これらを制御する制御プログラムが記録されたメモリ２１２が備えられている。
【００１５】
送信装置として用いられる機器としては、図１に示した車載オーディオシステム１００以外にも、コンテンツデータ再生装置と無線通信を行うことのできる機能を備えたものであれば、例えばナビゲーション装置等を用いることができる。
コンテンツデータ再生装置（以下、ポータブル再生装置２００と称する）は携帯情報端末であり、具体的には、車載オーディオシステム１００と無線通信を行うことのできる機能を備えた携帯電話２０１、携帯型音楽再生装置２０２、ＰＤＡ（Personal  Digital  Assistant）２０３等が挙げられる。携帯型音楽再生装置２０２としては、例えば、カセットテープ、ＣＤ、またはＭＤ等の記録媒体からコンテンツデータを読み取って再生する再生装置、および携帯型のＭＰ３プレイヤ等を用いることができる。
【００１６】
本実施の形態では、以上のように構成されたコンテンツデータの再生システムにて、車載オーディオシステム１００に内蔵されたソース機器から読み込まれたコンテンツデータおよび車載オーディオシステム１００に内蔵されたソース機器にて受信された電波に基づいたコンテンツデータをポータブル再生装置２００にて再生する。
ところで、本実施の形態における車載オーディオシステム１００とポータブル再生装置２００との間におけるコンテンツデータの送受信および各種命令の送受信には、無線通信が用いられる。そして、この無線通信における通信手段としては、Ｂｌｕｅｔｏｏｔｈ、またはＩＥＥＥ８０２．１１規格の無線ＬＡＮ（Local  Area  Network）を用いることができる。
【００１７】
本実施の形態では、周波数ホッピング方式を用いたＢｌｕｅｔｏｏｔｈを無線通信の通信手段として用いる場合を例示して説明する。Ｂｌｕｅｔｏｏｔｈでは、２．４５ＧＨｚの周波数帯域を使い、１０００Ｋｂｐｓのデータ伝送速度を実現することができる。そして、この周波数帯域において周波数帯域を帯域分割すると共に、ある一定の周期で搬送波の周波数を帯域分割された周波数ごとにホッピングして（切り替えて）通信を行うことができる。そうすると、ポイント・ツー・マルチポイント、すなわち１つの機器と複数の機器との間での通信が可能となる。また、周波数帯域を分割して周波数ホッピング方式を用いた通信を行うことにより、外界からのノイズおよび複数の機器間での干渉等による搬送波への影響を防止することができる。この帯域分割は必ずしも行わなければならないわけではなく、使用可能な周波数帯域を最大限に利用して無線通信を行うようにしても構わない。
【００１８】
ここで、図２を用いて本実施の形態におけるデータ転送レートの分割例について説明する。図２に示すように、Ｂｌｕｅｔｏｏｔｈを用いた通信では１０００Ｋｂｐｓの伝送速度が提供される。ここで、例えば音楽のコンテンツデータを送信しようとした場合に必要な転送レートが５０ｋｂｐｓであるとすると、送信装置側の性能として１０００ｋｂｐｓの伝送速度が確保できていれば、一度に２０種類の音楽のコンテンツデータを送信することができる。つまり、２０台のポータブル再生機器に対して同時に音楽のコンテンツデータを送信することが可能である。例えば、ソース機器から読み込まれたコンテンツデータIを携帯電話２０１へ、コンテンツデータIIを携帯型音楽再生装置２０２へ、コンテンツデータIIIをＰＤＡ２０３へと同時に、すなわち並列に送信することができる。コンテンツデータを送信するために必要な転送レートは、送信しようとするコンテンツデータの種類等によって変化する。
【００１９】
以上のように、車載オーディオシステム１００からポータブル再生装置２００へのコンテンツデータの送信手段として周波数ホッピング方式を用いれば、同時に（並列に）複数のポータブル再生装置２００へ複数のコンテンツデータを送信することが可能になる。また、無線通信を用いれば、ポータブル再生装置２００との間に通信ケーブル等を介在させなくても良い。すなわち、ケーブルの取り回しが不要になる。そうすることによって、特に自動車の車室内等の限られたスペースの中でのポータブル再生装置２００の配置の自由度が増すことになる。また、個々のポータブル再生装置２００に対応した専用の通信ケーブルを用意する必要がなくなるため、本実施の形態に示すコンテンツデータの再生システムを導入する際のコストを低減させることができる。さらに、ケーブル接続を行った場合には、車載オーディオシステム１００に備えることのできるポートの数が制限されることが考えられるが、無線通信を用いれば、十分な台数のポータブル再生装置２００との通信を行うことができるようになる。
【００２０】
図３は、本実施の形態における車載オーディオシステム１００の構成を示すブロック図である。本実施の形態では、コンテンツデータの再生システムにおける送信装置の一例として、車載オーディオシステム１００を用いる場合について説明する。
図３に示すように、本実施の形態における車載オーディオシステム１００は、ＣＰＵ１１１と、メモリ１１２とコードＩＣ１１３と、ＣＤ−ＲＯＭドライブ１２１と、チューナ１２２と、受信アンテナ１２３と、Ａ／Ｄ（Analog  to  Digital）コンバータ１２４と、ハードディスクドライブ１２５と、操作部１３１と、ディスプレイ１３２と、Ｄ／Ａコンバータ１４１と、ボリュームコントローラ１４２と、スピーカ１４３と、通信モジュール１５１と、アンテナ１５２とを備える。
【００２１】
ＣＤ−ＲＯＭドライブ１２１は、コンテンツデータがデジタル録音された図示しないＣＤ記録媒体を装着し、このＣＤ記録媒体からコンテンツデータを読み出す。本実施の形態では、記録媒体からコンテンツデータを読み出すための装置としてＣＤ−ＲＯＭドライブ１２１を例示したが、車載オーディオシステム１００に内蔵することのできる装置であれば、ＣＤ−ＲＯＭドライブ１２１の他にも種々のコンテンツデータの情報源から再生を行うことができる。例えば、カセットテーププレイヤやＭＤドライブ、メモリスティックスロット等を使用しても良い。この場合、コンテンツデータの記録媒体もカセットテープ、ＭＤ、メモリスティック等を用いる。これらのドライブおよびプレイヤとしては、それぞれ公知の装置を用いることができる。また、車載オーディオシステム１００に内蔵されたものばかりでなく、車載オーディオシステム１００の外部にケーブルまたはその他の通信手段にて接続されたコンテンツデータの読み込み装置を用いることも可能であり、このような場合には図１に示した構成に限定されるものではない。
【００２２】
チューナ１２２は、放送局等によって発信された放送電波を帯域制限して受信アンテナ１２３を介して受信する受信装置である。チューナ１２２によって受信されたアナログコンテンツデータは、Ａ／Ｄコンバータ１２４によってデジタルコンテンツデータ（以下、コンテンツデータと称する）に変換される。
このように、記録媒体から読み込まれたコンテンツデータや、チューナ１２２にて受信されてＡ／Ｄ変換されたコンテンツデータは、後述するハードディスクドライブ１２５に記録することが可能である。
【００２３】
ハードディスクドライブ１２５は、大量のコンテンツデータを記録することができる大容量記録装置である。このハードディスクドライブ１２５は、ＣＤ−ＲＯＭドライブ１２１やその他の装置にて読み込まれた音声や画像等のコンテンツデータや、チューナ１２２によって受信された音声や画像等のコンテンツデータを受け取って記録することが可能である。また、車載オーディオシステム１００がインターネットに接続するための機能を備えていれば、ハードディスクドライブ１２５には、インターネット等に接続した際に取得されたコンテンツデータをも記録しておくことができる。このようなコンテンデータも記録媒体から読み込まれたコンテンツデータや、チューナ１２２にて受信されたコンテンツデータと同様に、車載オーディオシステム１００にて読み込むことができる。
【００２４】
これら、ＣＤ−ＲＯＭドライブ１２１、チューナ１２２（受信アンテナ１２３とＡ／Ｄコンバータ１２４を含む）、ハードディスクドライブ１２５等は、車載オーディオシステム１００にコンテンツデータを読み込ませるためのソース機器、すなわちコンテンツデータ取得手段として用いられる。これらのソース機器にて読み込まれたコンテンツデータは、コードＩＣ１１３へと送信される。
コードＩＣ１１３は、ソース機器にて読み込まれたコンテンツデータがエンコード（符号化）されたものであればデコード（復号化）する。コードＩＣ１１３を通過したコンテンツデータは、その種類に応じてＣＰＵ１１１またはＤ／Ａコンバータ１４１へと送られる。
【００２５】
本実施の形態における車載オーディオシステム１００の装置全体の制御を行うＣＰＵ１１１には、上述したコードＩＣ１１３の他に、ＣＰＵ１１１にて実行される制御プログラムを読み込むと共にＣＰＵ１１１が動作するための記憶領域として用いられるメモリ１１２と、車載オーディオシステム１００に備えられた各機能を動作させるための外部からの操作を受け付ける操作部１３１と、車載オーディオシステム１００の動作状況等を表示することのできる液晶表示部等を備えたディスプレイ１３２が接続されている。さらに本実施の形態における車載オーディオシステム１００のＣＰＵ１１１には、後述するアンテナ１５２を備えた通信モジュール１５１が接続されている。
【００２６】
操作部１３１に対してソース機器のコンテンツデータを再生するための操作が行われると、ＣＰＵ１１１はメモリ１１２に読み込まれた制御プログラムに従い、この操作に基づいて車載オーディオシステム１００を制御し、動作させる。そうすると、ソース機器から読み込まれたコンテンツデータは、必要に応じてコードＩＣ１１３にてデコードされた後にＤ／Ａコンバータ１４１にてアナログデータに変換されて、操作部１３１に設けられた図示しないつまみ等に接続されたボリュームコントローラ１４２にて音量を調節され、スピーカ１４３より出力される。
【００２７】
さて、本実施の形態では、ＣＤ−ＲＯＭドライブ１２１、チューナ１２２、ハードディスクドライブ１２５等のソース機器、または複数種類のソース機器より読み込まれた複数のコンテンツデータを個別かつ同時に再生すること、すなわちコンテンツデータのマルチ再生を行うことに大きな特徴がある。そのためには、これら複数のコンテンツデータをそれぞれ個別にかつ同時に（並列に）再生する再生装置が必要となってくる。
【００２８】
そこで、本実施の形態では、車載オーディオシステム１００からだけでなく、この車載オーディオシステム１００と無線通信を行うことのできる複数のポータブル再生装置２００からもコンテンツデータの再生を行うことができるようにする。そのため、車載オーディオシステム１００には上述した従来の構成に加えて、ポータブル再生装置２００に対して複数のコンテンツデータを送信するアンテナ１５２を備えた通信モジュール１５１とからなる送信手段をさらに備える。車載オーディオシステム１００をこのような構成にすれば、ソース機器にて読み込まれた複数のコンテンツデータを通信モジュール１５１およびアンテナ１５２を介してポータブル再生装置２００へ同時に送信することができる。ここで、この送信手段によるコンテンツデータの送信は、時分割して行われるものであっても良いし、並列して行われるものであっても構わない。
また、図２にて説明したように、本実施の形態における車載オーディオシステム１００とポータブル再生装置２００との間では、周波数ホッピング方式を利用した無線通信を行う。このような場合には、通信モジュール１５１とアンテナ１５２は１組設けられていれば良いが、他の方式を利用して複数のポータブル再生装置２００へ同時にコンテンツデータを送信する場合には、通信モジュール１５１'およびアンテナ１５２'を複数設けても構わない。
【００２９】
本実施の形態における車載オーディオシステム１００のメモリ１１２には、ＣＰＵ１１１に読み込まれて実行される制御プログラムが記録されている。この制御プログラムは、アンテナ１５２および通信モジュール１５１を介してポータブル再生装置２００からのコンテンツデータの送信要求を受け付けて、この送信要求に基づいてソース機器から複数のコンテンツデータを読み込んで、ポータブル再生装置２００へ同時に（並列に）送信する機能を実行する。また、この制御プログラムは、ポータブル再生装置２００から車載オーディオシステム１００へのコンテンツデータの送信要求を直感的かつ円滑に行えるようなインターフェースを提供する。
本実施の形態におけるコンテンツデータのマルチ再生を行うための制御プログラムには、コンテンツリスト作成機能と、ポータブル再生装置認識機能と、コンテンツデータ送信機能とが備えられている。
【００３０】
以下、ＣＰＵ１１１にて実行される制御プログラムの機能について説明する。まず、コンテンツリスト作成機能について説明する。ＣＰＵ１１１に備えられたコンテンツリスト作成機能は、ソース機器から読み込むことのできるコンテンツデータに基づいてコンテンツリスト情報を生成すると共に、図４に示すコンテンツリストの一覧を作成する。
図４は、本実施の形態におけるコンテンツリスト作成機能によって作成されるコンテンツリストの画面例である。ここで例示する画面は、コンテンツリスト作成機能によって作成された後に車載オーディオシステム１００のディスプレイ１３２に表示することができる。図示したように、コンテンツリスト画面３００は、ＣＤコンテンツ表示部３１０と、チューナコンテンツ表示部３２０と、ハードディスクドライブコンテンツ表示部３３０と、外部接続装置コンテンツ表示部３４０とを備える。ここで、各コンテンツ表示部はボタン化されており、選択可能な状態で表示されるものとする。
【００３１】
例えばＣＤ−ＲＯＭドライブ１２１にＣＤチェンジャが備えられており、複数のＣＤ記録媒体が差し込まれている場合には、ＣＤコンテンツ表示部３１０には、図示したようにそれぞれのＣＤ記録媒体が差し込まれているディスクトレイの番号等を表示することができる。そして、それぞれの番号のボタンを選択することにより、その番号のディスクトレイに差し込まれているＣＤ記録媒体からコンテンツデータを読み込むことができる。
また、チューナコンテンツ表示部３２０には、チューナ１２２にてプリセットされているキーに対応したボタンと共に、手入力によって任意の周波数帯域をセットすることのできるエリアも設けられている。このボタンまたはエリアを選択することによって、チューナ１２２によって受信されたコンテンツデータを読み込むことができる。
【００３２】
さらに、ハードディスクドライブコンテンツ表示部３３０には、ハードディスクドライブ１２５に記録されているディレクトリ構造と共に、このディレクトリ内に記録されているコンテンツデータを表示することができる。ディレクトリ構造を辿ってコンテンツデータを検索し、所望のコンテンツデータを選択することによって、このコンテンツデータを読み込むことができる。
またさらに、外部接続装置コンテンツ表示部３４０には、車載オーディオシステム１００によって認識された外部接続装置の情報を表示することができる。
このようにして作成されたコンテンツリストは、後に説明するように、ポータブル再生装置２００へと送信される。また、ディスプレイ１３２に表示されたコンテンツリスト画面３００に対してボタン選択等の操作を行うことによって、選択されたコンテンツデータの再生を行うことができる。
【００３３】
次に、ポータブル再生装置認識機能について説明する。ＣＰＵ１１１に備えられたポータブル再生装置認識機能は、一定時間が経過する毎に通信モジュール１５１およびアンテナ１５２を介して車載オーディオシステム１００と無線通信を行うことができると共に機器ＩＤを有するポータブル再生装置２００を検索する。そうすることによって、自動車の車室内に新たなポータブル再生装置２００が持ち込まれたことや、車室内にあるポータブル再生装置２００の電源が投入されたことを検知することができる。そして、このポータブル再生装置認識機能による検索を行うことによって検知されたポータブル再生装置２００の機器ＩＤをメモリ１１２の所定の領域に記憶しておくことができる。また、このようにして検知されたポータブル再生装置２００をディスプレイ１３２に表示することができる。そして、ポータブル再生装置２００からの接続要求があるまで待機することや、ポータブル再生装置２００との自動接続を行うことができる。
【００３４】
また、車載オーディオシステム１００と無線通信を行うことが可能であって、機器ＩＤを有しないポータブル再生装置２００が検出されることも考えられる。このような場合には、ポータブル再生装置２００の通信モジュール２５１等に付与されているＭＡＣアドレス等のユニークな値に関連付けた新しい機器ＩＤを生成すると共にメモリ１１２の所定の領域に記憶しておくことができる。そうすることによって、車載オーディオシステム１００と無線通信を行うことのできるポータブル再生装置２００を車載オーディオシステム１００にて認識することができる。そして、このポータブル再生装置認識機能によって生成された新しい機器ＩＤをポータブル再生装置２００に送信することによって、このポータブル再生装置２００のメモリ１１２等に記憶させておく。
【００３５】
このようにすれば、車載オーディオシステム１００と無線通信を行うことのできるポータブル再生装置２００を個別に認識することができる。そうすることによって、複数台のポータブル再生装置２００からそれぞれ異なったコンテンツデータの送信要求があった場合には、どの送信要求がどのポータブル再生装置２００からの送信要求であるかを判断することができる。
ここで、ポータブル再生装置認識機能によるポータブル再生装置２００の検索を行うタイミングは、上述したように一定時間が経過したときとしても良いし、自動車という使用条件の特性上、自動車の車室内にポータブル再生装置２００が持ち込まれるという行為が発生することを考慮すれば、自動車のドアの開閉が行われたときとしても良い。また、ポータブル再生装置２００を持ったユーザが自動車の車室内を移動したり、ポータブル再生装置２００を他のユーザに渡したりすることによってポータブル再生装置２００が移動することも考えられるので、一定時間が経過する毎に再検索を行うようにするのが望ましい。
【００３６】
ここで、ポータブル再生装置認識機能によってポータブル再生装置２００が認識された際に、コンテンツリスト作成機能によって作成されたコンテンツリスト画面３００またはコンテンツリスト情報をポータブル再生装置２００に送信する。このコンテンツリスト画面３００またはコンテンツリスト情報のポータブル再生装置２００への送信は、どういうタイミングで行っても構わないが、ポータブル再生装置２００の電源が投入された後、すぐにコンテンツデータの再生を行う場合を考慮すれば、できるだけ早いタイミングで送信することが望ましい。
また、車載オーディオシステム１００は自動車の車室内で使用される。そして、自動車が走行する状況に応じてポータブル再生装置２００に対して提供することのできるコンテンツデータが逐次変化することも考えられる。そこで、コンテンツリスト作成機能によるコンテンツリスト画面３００およびコンテンツリスト情報を定期的に更新して、更新が行われる度にポータブル再生装置２００に送信することが望ましい。
【００３７】
また次に、コンテンツデータ送信機能について説明する。コンテンツデータ送信機能は、ポータブル再生装置２００からの要求に応じて、車載オーディオシステム１００のソース機器から読み込まれた複数のコンテンツデータをポータブル再生装置２００に対して送信するものである。ここで、このコンテンツデータ送信機能によるコンテンツデータの送信は、通信モジュール１５１およびアンテナ１５２を介して行われる。そして、本実施の形態では、周波数ホッピング方式の無線通信を用いて、複数のコンテンツデータを複数のポータブル再生装置２００に対して同時に送信することができる。コンテンツデータ送信機能については、後に図６および図７に示すフローチャートを用いて、本実施の形態におけるコンテンツデータの再生システムにおける動作と関連付けて説明する。
【００３８】
車載オーディオシステム１００は自動車の車室内の限られた空間で使用される。そこで、通信モジュール１５１に備えられたアンテナ１５２に指向性を持たせておくことにより、機器ＩＤを有するポータブル再生装置２００が車室内のどの位置にあるかを概ね把握することができる。そうすることによって、コンテンツデータを無線通信にて送信する際に、コンテンツデータを送信する方向を定めることができる。また、どの機器ＩＤのポータブル再生装置２００が車室内のどの位置にあるかを、車載オーディオシステム１００のディスプレイ１３２に表示することも可能である。このようにすれば、ポータブル再生装置２００にてコンテンツリスト画面３００を表示することができない等の理由によってポータブル再生装置２００から車載オーディオシステム１００に対してコンテンツデータの送信要求を行うことができない場合であっても、車載オーディオシステム１００の操作部１３１を操作することによってコンテンツデータを特定のポータブル再生装置２００に送信することができる。
【００３９】
図５は、本実施の形態におけるポータブル再生装置２００の構成を示すブロック図である。本実施の形態では、コンテンツデータの再生システムにおけるコンテンツデータ再生装置の一例として、ポータブル再生装置２００を用いる場合について説明する。
図５に示すように、本実施の形態におけるポータブル再生装置２００は、ＣＰＵ２１１と、メモリ２１２と、操作部２３１と、ディスプレイ２３２と、Ｄ／Ａコンバータ２４１と、ボリュームコントローラ２４２と、スピーカ２４３と、デコーダ２４４と、通信モジュール２５１とアンテナ２５２とを備える。
【００４０】
ところで、通常の携帯型音楽再生装置、例えば携帯型ＭＤ再生装置であれば、ディスプレイに表示されたＭＤ記録媒体に記録されたコンテンツデータの情報に基づいて操作部に対してコンテンツデータを再生する操作が行われる。そして、この操作に応じてＭＤ記録媒体よりコンテンツデータを読み出してデコーダ、Ｄ／Ａコンバータ、ボリュームコントローラを介して音声としてスピーカまたはイヤホン等より出力される。
【００４１】
ここで本実施の形態では、車載オーディオシステム１００とポータブル再生装置２００との間で無線通信を行い、車載オーディオシステム１００に備えられたソース機器より読み出された複数のコンテンツデータを同時に複数のポータブル再生装置２００にて再生することに大きな特徴がある。そのため、本実施の形態におけるポータブル再生装置２００には、車載オーディオシステム１００との間で無線通信を行うためのアンテナ２５２を備えた通信モジュール２５１からなる受信手段が備えられている。
ポータブル再生装置２００からのコンテンツデータの送信要求は、この通信モジュール２５１およびアンテナ２５２を介して無線通信にて車載オーディオシステム１００へと送信される。また、ポータブル再生装置２００からの送信要求に応じて車載オーディオシステム１００から送信されてきたコンテンツデータはアンテナ２５２にて受信され、通信モジュール２５１を介してデコーダ２４４へと送られる。
【００４２】
デコーダ２４４では、通信モジュール２５１にて受信されたコンテンツデータをデコードして、ＣＰＵ２１１へと送る。ＣＰＵ２１１に送られてきたコンテンツデータは一旦メモリ２１２へと送られ、メモリ２１２のバッファ領域に記憶しておくことができる。このようにすれば、ポータブル再生装置２００と車載オーディオシステム１００との間の無線通信が何らかの理由によって一時的に途切れた場合にも、音トビや画像の途切れが発生することなくコンテンツデータの再生を行うことができる。そして、一旦メモリ２１２に記憶されたコンテンツデータは、再びＣＰＵ２１１へと送られる。
【００４３】
ここで、ＣＰＵ２１１に送られてきたコンテンツデータはＤ／Ａコンバータ２４１にてアナログデータに変換されて、操作部２３１に設けられた図示しないつまみ等に接続されたボリュームコントローラ２４２にて音量を調節され、スピーカ２４３より出力される。
このように、本実施の形態におけるポータブル再生装置２００は、このポータブル再生装置２００が個々に動作する際に用いられるスピーカ２４３よりコンテンツデータを出力、すなわち再生することができる。
【００４４】
本実施の形態におけるポータブル再生装置２００のメモリ２１２には、ＣＰＵ２１１に読み込まれて実行される制御プログラムが記録されている。この制御プログラムは、アンテナ２５２および通信モジュール２５１を介して車載オーディオシステム１００に対してコンテンツデータの送信要求を行い、車載オーディオシステム１００から送信されたコンテンツデータを受信して出力する機能を実行する。
本実施の形態においてポータブル再生装置２００にてコンテンツデータのマルチ再生を行うための制御プログラムには、車載装置認識機能と、コンテンツリスト表示機能と、コンテンツデータ受信機能とが備えられている。
【００４５】
以下、ＣＰＵ２１１にて実行される制御プログラムの機能について説明する。
まず、車載オーディオシステム認識機能について説明する。ＣＰＵ２１１に備えられた車載オーディオシステム認識機能は、車載オーディオシステム１００のポータブル再生装置認識機能によってポータブル再生装置２００の機器ＩＤの検索が行われた際に、応答を行う機能である。この機器ＩＤの検索は、通信モジュール２５１に備えられたアンテナ２５２によって受信される。そしてこの機器ＩＤの検索は、デコーダ２４４を介してＣＰＵ２１１へと送られる。そうすると、ＣＰＵ２１１はポータブル再生装置２００の機器ＩＤを通信モジュール２５１およびアンテナ２５２を介して車載オーディオシステム１００へと送信する。
【００４６】
また、ポータブル再生装置２００が予め定められた機器ＩＤを有していない場合には、車載オーディオシステム認識機能は、車載オーディオシステム１００に対してその旨を通知する。そうすると、車載オーディオシステム１００のポータブル再生装置認識機能によって生成された機器ＩＤが送信されてくる。ポータブル再生装置２００は、この機器ＩＤを受信して、メモリ２１２の所定の領域に記憶しておくことができる。
【００４７】
次に、コンテンツリスト表示機能について説明する。車載オーディオシステム１００のコンテンツリスト作成機能によって作成されたコンテンツリスト画面３００およびコンテンツリスト情報は、通信モジュール２５１に備えられたアンテナ２５２にて受信され、デコーダ２４４を通過してＣＰＵ２１１へと送られてくる。ここで、ＣＰＵ２１１に備えられたコンテンツリスト表示機能は、コンテンツリスト画面３００がディスプレイ２３２に表示可能であるか否かを判断する。ポータブル再生装置２００がコンテンツリスト画面３００を表示するのに十分なサイズのディスプレイ２３２を備えていれば、コンテンツリスト画面３００をディスプレイ２３２にそのまま表示する。また、ディスプレイ２３２のサイズが小さい場合にはコンテンツリスト情報に基づいて表示可能な範囲で、コンテンツリスト情報の全部またはその一部をディスプレイ２３２に表示する。
【００４８】
そして、コンテンツリスト表示機能によりディスプレイ２３２に表示されたコンテンツリスト画面３００またはコンテンツリスト情報に対して、操作部２３１から選択等の操作を行うことによって、それぞれのポータブル再生装置２００を使用するユーザが所望するコンテンツデータの再生を行うことができる。
また、このコンテンツリスト表示機能により、ポータブル再生装置２００で再生することのできるコンテンツデータの種類を判断し、ディスプレイ２３２に表示するコンテンツリスト画面３００またはコンテンツリスト情報を予め制限するようにしても良い。
【００４９】
また次に、コンテンツデータ受信機能について説明する。コンテンツリスト表示機能によりディスプレイ２３２に表示されたコンテンツリスト画面３００またはコンテンツリスト情報に対して、操作部２３１から選択等の操作が行われると、ＣＰＵ２１１に備えられたコンテンツデータ受信機能は、選択されたコンテンツデータの送信要求を生成する。そしてこのコンテンツデータの送信要求は、デコーダ２４４を通過して通信モジュール２５１に備えられたアンテナ２５２から車載オーディオシステム１００に対して送信される。そうすると、車載オーディオシステム１００のコンテンツデータ送信機能によって、ポータブル再生装置２００からの送信要求に対応したコンテンツデータがこの送信要求を送信したポータブル再生装置２００、すなわち再生指示を行ったポータブル再生装置２００へと送信される。このコンテンツデータは、通信モジュール２５１に備えられたアンテナ２５２によって受信され、デコーダ２４４にてデコードされ、ＣＰＵ２１１を介して一旦メモリ２１２にスプールされた後に再びＣＰＵ２１１を通過して出力される。
【００５０】
ポータブル再生装置２００が以上のような機能を備えれば、車載オーディオシステム１００のソース機器より読み込まれたコンテンツデータを受信し、このコンテンツデータをポータブル再生装置２００にて再生することができるようになる。
ここで、本実施の形態では、車載オーディオシステム１００とポータブル再生装置２００との間の無線通信にＢｌｕｅｔｏｏｔｈを用いている。そうすることによって、コンテンツデータの送信元である車載オーディオシステム１００からはソース機器から読み込まれた複数のコンテンツデータ、または複数のソース機器から読み込まれた複数のコンテンツデータを同時に複数のポータブル再生装置２００に対して送信することが可能である。そして、このコンテンツデータをそれぞれのポータブル再生装置２００にて再生することによってコンテンツデータのマルチ再生を行うことができる。
【００５１】
次に、図６および図７に示すフローチャートに基づいて、本実施の形態にて示した車載オーディオシステム１００およびポータブル再生装置２００における、コンテンツデータのマルチ再生を行う制御プログラムの処理の流れを説明する。図６は、本実施の形態における車載オーディオシステム１００の処理の流れを説明するフローチャートである。また図７は、本実施の形態におけるポータブル再生装置２００の処理の流れを説明するフローチャートである。
【００５２】
まず、車載オーディオシステム１００の電源が投入される（ステップ６０１）。自動車に搭載された車載オーディオシステム１００の電源は、例えば自動車のエンジンを始動する等の操作を行った際に自動的に投入される。そうすると、車載オーディオシステム１００は、車載オーディオシステム１００に内蔵されたＣＤ−ＲＯＭドライブ１２１、チューナ１２２、ハードディスクドライブ１２５等のソース機器を認識する（ステップ６０２）。また、車載オーディオシステム１００の外部からケーブル等で接続されたソース機器をも認識する。そして、これらのソース機器より読み込むことのできるコンテンツデータに基づいてコンテンツリストが作成される（ステップ６０３）。ここで、このコンテンツリストは、図４に示したコンテンツリスト画面３００およびコンテンツリスト情報として作成され、メモリ１１２の所定の領域に一時的に記憶される。
【００５３】
また、自動車の車室内に乗り込んだ搭乗者によって、単独で動作することができると共に、車載オーディオシステム１００から送信されたコンテンツデータの再生を行うことができるポータブル再生装置２００が持ち込まれ、このポータブル再生装置２００の電源が投入される（ステップ７０１）。電源が投入された後、ポータブル再生装置２００は、操作部２３１に対して何らかの操作が行われるまで、または車載オーディオシステム１００からの命令が送信されてくるまで待機する。
【００５４】
車載オーディオシステム１００では、この車載オーディオシステム１００との間で無線通信を行うことのできるポータブル再生装置２００が車室内にあるか否かの判断、すなわち車室内におけるポータブル再生装置２００の検索が行われる（ステップ６０４）。ここで、ポータブル再生装置２００との間における通信は、通信モジュール１５１およびアンテナ１５２を介して行われる。ステップ６０４において、車載オーディオシステム１００と無線通信を行うことのできるポータブル再生装置２００が車室内に無いと判断された場合には、ディスプレイ１３２に無線通信を行うことのできる機器が無い旨のメッセージを表示して（ステップ６０５）、一定時間待機した後にステップ６０３以降の処理が繰り返される。また、ステップ６０４において車載オーディオシステム１００と無線通信を行うことのできるポータブル再生装置２００が車室内にあると判断された場合には、ポータブル再生装置２００に対して各々のポータブル再生装置２００の機器ＩＤを、車載オーディオシステム１００に送信することを指示する命令を送信する（ステップ６０６）。
【００５５】
ポータブル再生装置２００は、ステップ６０６にて送信された機器ＩＤの送信指示の命令を受信し（ステップ７０２）、この送信指示の命令に基づいて、各々のポータブル再生装置２００に備えられた個別の機器ＩＤを車載オーディオシステム１００に対して送信する（ステップ７０３）。ここで、車載オーディオシステム１００との間における通信は、通信モジュール１５１およびアンテナ１５２を介して行われる。そして、各々のポータブル再生装置２００から送信された機器ＩＤは、車載オーディオシステム１００に備えられたメモリ１１２の所定の領域に記憶される（ステップ６０７）。車載オーディオシステム１００では、ステップ６０７およびステップ６０８の処理を経て、ポータブル再生装置２００との間における無線通信が確立される（ステップ６０８）。また同様にポータブル再生装置２００では、ステップ７０２およびステップ７０３の処理を経て、車載オーディオシステム１００との間における無線通信が確立される（ステップ７０４）。ここで、車載オーディオシステム１００では、無線通信が確立されたポータブル再生装置２００をディスプレイ１３２に表示することができる（ステップ６０９）。
【００５６】
車載オーディオシステム１００とポータブル再生装置２００との間での無線通信が確立されると車載オーディオシステム１００では、ステップ６０３にて作成され、メモリ１１２に記憶されたコンテンツリストが読み出される。このコンテンツリストは、車載オーディオシステム１００からポータブル再生装置２００へと送信され、各々のポータブル再生装置２００にて受信される（ステップ７０５）。そしてこのコンテンツリストは、各々のポータブル再生装置２００に備えられたディスプレイ２３２の表示能力に応じて、コンテンツリスト画面３００として、またはコンテンツ情報として表示される（ステップ７０６）。
【００５７】
ステップ７０６においてディスプレイ２３２に表示されるコンテンツリストでは、操作部２３１によって操作を行うことによって選択操作を行うことができる。つまり、ポータブル再生装置２００では、このコンテンツリストに対して操作部２３１より選択等の操作を行うことによって、ポータブル再生装置２００での再生を所望するコンテンツを選択することができる。また、任意のコンテンツを選択し、操作部２３１にて所定の操作を行うことによって、車載オーディオシステム１００に対してコンテンツデータの送信要求を行うことができる。ここで、ポータブル再生装置２００では、ディスプレイ２３２に表示されたコンテンツリストの中からいずれかのコンテンツが選択されて、車載オーディオシステム１００に対してコンテンツデータの送信要求が行われたか否かの判断が行われる（ステップ７０８）。ステップ７０８において、コンテンツデータの送信要求が行われていないと判断された場合には、一定時間待機した後にステップ７０５以降の処理が繰り返される。また、ステップ７０８において、コンテンツデータの送信要求が行われたと判断された場合には、ポータブル再生装置２００にて選択されたコンテンツデータの送信要求が車載オーディオシステム１００に対して送信される（ステップ７０９）。
【００５８】
ステップ７０９におけるポータブル再生装置２００からのコンテンツデータの送信要求は、車載オーディオシステム１００にて受信される（ステップ６１０）。このステップ７０９におけるコンテンツデータの送信要求は、複数のポータブル再生装置２００より同時に送信された場合にも、車載オーディオシステム１００にて受信することができる。そして車載オーディオシステム１００は、このコンテンツデータの送信要求に基づいて、ソース機器からコンテンツデータを読み込み（ステップ６１１）、読み込まれたコンテンツデータをポータブル再生装置２００へと送信する（ステップ６１２）。
【００５９】
ここで、ステップ６１１にてソース機器から読み込まれたコンテンツデータがエンコードされていない状態のものであった場合には、コードＩＣ１１３にてエンコードが行われてからＣＰＵ１１１へと送られる。また、ステップ６１２におけるコンテンツデータの送信に先立って、ＣＰＵ１１１では、送信するコンテンツデータに対してコンテンツデータの送信先となるコンテンツデータの送信要求を行ったポータブル再生装置２００の機器ＩＤを付与する。本実施の形態におけるコンテンツデータの送信には、周波数ホッピング方式を用いて行われるので、この機器ＩＤの付与は分割されたコンテンツデータ全てに対して行われる。そうすることによって、コンテンツデータの送信要求が複数のポータブル再生装置２００から同時に行われている場合であっても、車載オーディオシステム１００のソース機器から読み込まれた複数のコンテンツデータを、コンテンツデータの送信要求を行ったポータブル再生装置２００に対して同時にかつ確実に送信することができる。
【００６０】
ここで、車載オーディオシステム１００では、全てのコンテンツデータの送信が終了したか否かの判断が行われる（ステップ６１３）。ステップ６１３において全てのコンテンツデータの送信が終了していないと判断された場合には、ステップ６１１からステップ６１３の処理が繰り返し行われる。そして、ステップ６１３において全てのコンテンツデータの送信が終了したと判断された場合には、ポータブル再生装置２００からコンテンツデータの送信要求があるまで待機すると共に、ステップ６０３以降の処理が繰り返し行われる。
また、ポータブル再生装置２００から送信要求のあったコンテンツデータが、ＴＶ番組やラジオ番組等、チューナ１２２によって受信される、途切れることのない電波をソースとしている場合には、ポータブル再生装置２００からの送信を停止する要求が受信されるまで、コンテンツデータを送信し続ける。
【００６１】
ステップ６１２にて送信されたコンテンツデータは、コンテンツデータの送信要求を行ったポータブル再生装置２００にて受信される（ステップ７１０）。そして、受信されたコンテンツデータは、一旦、メモリ２１２のバッファ領域に記憶される。そして、ポータブル再生装置２００は、メモリ２１２のバッファ領域に記憶されたコンテンツデータを読み込んで、それぞれのコンテンツデータの種類に応じてスピーカ２４３およびディスプレイ２３２より出力することにより、コンテンツデータの再生を行う（ステップ７１１）。
【００６２】
ここで、ポータブル再生装置２００では、ステップ７０９にて送信要求された全てのコンテンツデータの再生が終了したか否かの判断が行われる（ステップ７１２）。ステップ７１２において、全てのコンテンツデータの再生が終了していないと判断された場合には、ステップ７１０からステップ７１２の処理が繰り返し行われる。そして、ステップ７１２において、全てのコンテンツデータの再生が終了したと判断された場合には、ポータブル再生装置２００に対する何らかの操作が行われるまで待機すると共に、ステップ７０５以降の処理が繰り返し行われる。
また、車載オーディオシステム１００に対して送信要求を行ったコンテンツデータが、チューナ１２２によって受信される電波をソースとする、途切れることのないコンテンツデータであった場合には、コンテンツデータの送信を停止する要求を車載オーディオシステム１００に対して別途送信するものとする。
【００６３】
以上のように、本実施の形態における車載オーディオシステム１００およびポータブル再生装置２００に備えられた制御プログラムは、車載オーディオシステム１００とポータブル再生装置２００との間で無線通信を行って車載オーディオシステム１００に備えられたソース機器より複数のコンテンツデータを読み込んで送信し、これらのコンテンツデータをポータブル再生装置２００で受信して出力することができる。つまり、車載オーディオシステム１００のソース機器のから読み込まれた複数のコンテンツデータを、複数のポータブル再生装置２００にて再生することができる。
また、本実施の形態における無線通信では、周波数ホッピング方式を採用している。このようにすれば、車載オーディオシステム１００から同時に複数のポータブル再生装置２００に対して個別かつ同時にコンテンツデータを送信することができる。つまり、車載オーディオシステム１００のソース機器から複数のコンテンツデータを読み込んで、車載オーディオシステム１００との間で無線通信を行うことのできる複数のポータブル再生装置２００にて、このコンテンツデータの再生を行うことができる。
【００６４】
本実施の形態では、車載オーディオシステム１００と、自動車の車室内に持ち込まれたポータブル再生装置２００を例にコンテンツデータの再生システムを説明したが、この構成に限られるものではない。ソース機器から複数のコンテンツデータを読み込んで、携帯型若しくは固定型の端末機器、すなわちコンテンツデータ再生装置に対してこれらのコンテンツデータを同時に送信することができ、これらのコンテンツデータ再生装置にてコンテンツデータを再生することができるようなシステムであれば、他の構成を用いても構わない。
【００６５】
ここまでは、コンテンツデータを送信する送信装置の一例として車載オーディオシステム１００を用いる場合について説明したが、この構成に限られるものではない。送信装置としては、ポータブル再生装置２００と通信を行うことのできる通信モジュール１５１およびアンテナ１５２が備えられていれば、例えば、ナビゲーション装置であっても良い。また、ポータブルビデオ再生装置のように、自動車の車室内に備えられた液晶モニタ等から画像コンテンツを出力するような装置であっても構わない。画像コンテンツをコンテンツデータの再生システムにて再生する場合には、ポータブル再生装置２００としては、画像コンテンツを出力するのに十分なサイズのディスプレイ２３２を備えたＰＤＡ２０３またはパーソナルコンピュータ等を用いることが望ましい。
このような場合には、例えばナビゲーション装置に備えられたＤＶＤプレイヤをソース機器とし、ＤＶＤを記録媒体として用いることができる。そして、このＤＶＤプレイヤより読み込まれたコンテンツデータをポータブル再生装置２００へと送信することができる。さらに、ポータブル再生装置２００にて受信され、一旦メモリ２１２に記憶された後にＣＰＵ２１２へと送られてきたコンテンツデータのうち音声コンテンツデータは、スピーカ２４３より出力される。また、画像コンテンツデータは、ディスプレイ２３２に出力されて液晶表示部等に表示される。
【００６６】
また、本実施の形態では、車載オーディオシステム１００に備えられたソース機器より複数のコンテンツデータを読み込んで、これらのコンテンツデータを複数のポータブル再生装置２００にて個別かつ同時に再生するように説明したが、例えば、車室内等に持ち込まれたポータブル再生装置２００に備えられたソース機器からコンテンツデータを読み込んで、車載オーディオシステム１００より出力することも可能である。
またさらに、ポータブル再生装置２００の備えられたソース機器から読み込まれたコンテンツデータを車載オーディオシステム１００へと送信し、このコンテンツデータを一旦車載オーディオシステム１００のメモリ１１２のバッファ領域に記憶し、さらにこのコンテンツデータを車載オーディオシステム１００から複数のポータブル再生装置２００へと送信するようにすることも可能である。
【００６７】
また、本実施の形態にて説明したように、車載オーディオシステム１００にハードディスクドライブ１２５等の大容量記録装置が備えられていれば、録画予約することを忘れた番組等のコンテンツを再生すると共に、再生を行いながら外出先の自動車の車室内にてハードディスクドライブ１２５に記録することができる。また、チューナ１２２にて受信されたコンテンツデータをハードディスクドライブ１２５に記録し、このコンテンツデータをノート型のパーソナルコンピュータ等に転送することにより、自動車の外に持ち出して再生することもできる。
【００６８】
本実施の形態におけるコンテンツデータの再生システムにおいて、送信装置から送信されたコンテンツデータが、このコンテンツデータを受信したコンテンツデータ再生装置にて再生できない種類のものであった場合には、送信装置側で送信しないように制御しても良いし、コンテンツデータ再生装置側で再生できない旨のメッセージを表示する等して通知しても構わない。
【００６９】
また、複数のソース機器を備え、ソース機器から同時に複数のコンテンツデータを読み込み、または複数のソース機器から同時に複数のコンテンツデータを読み込み、これらのコンテンツデータを複数のコンテンツデータ再生装置に対して個別かつ同時に送信することのできる送信装置を提供することができる。
【００７０】
さらに、コンテンツデータの送信要求を行い、この送信要求にしたがって送信されてきたコンテンツデータを受信して、コンテンツデータ再生装置本来の再生手段により再生することのできるコンテンツデータの再生装置を提供することができる。
【図面の簡単な説明】
【００７１】
【図１】本実施の形態におけるコンテンツデータの再生システムの全体構成を示す図である。
【図２】本実施の形態におけるデータ転送レートの分割例について示す図である。
【図３】本実施の形態における車載オーディオシステム１００の構成を示すブロック図である。
【図４】本実施の形態におけるコンテンツリスト作成機能によって作成されるコンテンツリストの画面例である。
【図５】本実施の形態におけるポータブル再生装置２００の構成を示すブロック図である。
【図６】本実施の形態における車載オーディオシステム１００の処理の流れを示すフローチャートである。
【図７】本実施の形態におけるポータブル再生装置２００の処理の流れを示すフローチャートである。
【符号の説明】
【００７２】
１００…車載オーディオシステム、１１１…ＣＰＵ、１１２…メモリ、１１３…コードＩＣ、１２１…ＣＤ−ＲＯＭドライブ、１２２…チューナ、１２３…受信アンテナ、１２４…Ａ／Ｄコンバータ、１２５…ハードディスクドライブ、１３１…操作部、１３２…ディスプレイ、１４１…Ｄ／Ａコンバータ、１４２…ボリュームコントローラ、１４３…スピーカ、１５１（１５１'）…通信モジュール、１５２（１５２'）…アンテナ、２００…ポータブル再生装置、２０１…携帯電話、２０２…携帯型音楽再生装置、２０３…ＰＤＡ（Personal  Digital  Assistant）、２１１…ＣＰＵ、２１２…メモリ、２３１…操作部、２３２…ディスプレイ、２４１…Ｄ／Ａコンバータ、２４２…ボリュームコントローラ、２４３…スピーカ、２４４…デコーダ、２５１…通信モジュール、２５２…アンテナ、３００…コンテンツリスト画面、３１０…ＣＤコンテンツ表示部、３２０…チューナコンテンツ表示部、３３０…ハードディスクドライブコンテンツ表示部、３４０…外部接続装置コンテンツ表示部
【図１】
2007157323.tif 000003
【図２】
2007157323.tif 000004
【図３】
2007157323.tif 000005
【図４】
2007157323.tif 000006
【図５】
2007157323.tif 000007
【図６】
2007157323.tif 000008
【図７】
2007157323.tif 000009